(57)【要約】【構成】  ステージ板に便座配置部を設け、この便座配置部に弁座を設置したトイレにおいて、ステージ板に把持部を設けたトイレである。【効果】  従来と異なり、ステージ板に壁部を設置しなくても、当該トイレに把持部を確保することができる。壁部を設置することのできない場合でもトイレとして機能することができるため、トイレをシート等で囲むことによって利用される非常用のトイレとしてその使用価値は極めて高い。把持部を便座配置部の側部に位置させれば、使用者は、ステージ板における便座の近傍に容易に上がりやすい。把持部をステージ板に立設された支持軸と、この支持軸を中心として揺動可能に取り付けられた把手とから構成すれば、把手が揺動すれため、使用者は己に位置に合わせて把手を掴むことができる結果、当該ステージ板への昇り降りがしやすいものである。【選択図】  図２
2005342190.tif 000002
【特許請求の範囲】
【請求項１】
ステージ板に便座配置部を設け、この便座配置部に弁座を設置したトイレにおいて、前記ステージ板に把持部を設けたことを特徴とするトイレ。
【請求項２】
請求項１のトイレにおいて、前記把持部は前記便座配置孔の側部に位置していることを特徴とするトイレ。
【請求項３】
請求項１のトイレにおいて、前記把持部は前記ステージ板に立設された支持軸とこの支持軸を中心として揺動可能に取り付けされた把手とからなることを特徴とするトイレ。
【請求項４】
請求項３のトイレにおいて、前記把手は適宜揺動位置に固定可能であるあることを特徴とするトイレ。
【発明の詳細な説明】
【技術分野】
【０００１】
この発明はトイレに関するものであり、身体障害者用または身体障害者用と一般用トイレとを兼ねた非常用トイレとして使用されるものである。
【背景技術】
【０００２】
従来におけるこの種のトイレは、ステージ板に便座配置孔を設け、この便座配置孔に弁座を開閉可能に設置したものであり、トイレを使用する者は、把手を掴んで前記便座に腰をおろし、その状態で前記ステージ板に手をついて用を足したり、把手を掴んでステージ板に上がり、前記ステージ板上で足を伸ばしたまま、又は、横向きやうつ伏せ状態で用を足したりしていた。
【０００３】
【特許文献１】実公平８−４５２０号
【特許文献２】特開２０００−２０４６３８
【特許文献３】特開２０００−２０４６３９
【特許文献４】特開２０００−２０４６４０
【発明の開示】
【発明が解決しようとする課題】
【０００４】
しかしながら、かかる従来のトイレにあっては、前記把手が当該トイレの壁面に設置されていたため、トイレを設置するにあたって壁部を設置しなければならず、この結果、シート等で囲むことによって使用される非常用としては殆ど利用できないという不都合を有した。
【０００５】
この発明の課題はこれらの不都合を解消することである。
【課題を解決するための手段】
【０００６】
この発明に係るトイレにおいては、ステージ板に便座配置孔を設け、この便座配置孔に弁座を設置したトイレにおいて、前記ステージ板に把持部を設けたものである。
【０００７】
なお、前記把持部を前記便座配置孔の側部に位置させることができる。
【０００８】
また、前記把持部を前記ステージ板に立設された支持軸と、この支持軸を中心として揺動可能に取り付けられた把手とから構成することができる。
【０００９】
また、前記把手を適宜揺動位置に固定可能にすることができる。
【発明の効果】
【００１０】
この発明に係るトイレは、ステージ板に便座配置部を設け、この便座配置部に弁座を設置したトイレにおいて、前記ステージ板に把持部を設けたため、従来と異なり、前記ステージ板に壁部を設置しなくても、当該トイレに把持部を確保することができるものである。                                                        
【００１１】
よって、このトイレを使用すれば、壁部を設置することのできない場合でもトイレとして機能することができるため、トイレをシート等で囲むことによって利用される非常用のトイレとしてその使用価値は極めて高いものである。
【００１２】
なお、前記把持部を前記便座配置部の側部に位置させれば、使用者は、ステージ板における便座の近傍に容易に上がりやすいものである。
【００１３】
また、前記把持部を前記ステージ板に立設された支持軸と、この支持軸を中心として揺動可能に取り付けられた把手とから構成すれば、把手が揺動すれため、使用者は己に位置に合わせて把手を掴むことができる結果、当該ステージ板への昇り降りがしやすいものである。
【００１４】
また、前記把手を適宜揺動位置に固定可能にすれば、使用者は、把手を己の使用しやすい状態で固定できるため、当該ステージ板に昇り降りがより一層しやすいものである。
【発明を実施するための最良の形態】
【００１５】
この発明は、ステージ板の上に把持部を設け、使用者が、この把持部を掴んでステージ板に昇り降りしたり、便座に座ったりする事に最も主要な特徴を有する。
【実施例】
【００１６】
以下、この発明の実施例を説明する。
【００１７】
図１はこの発明に係るトイレの正面図、図２は同一部切り欠き平面図、図３は図１におけるIII-III 線断面図、図４は図２におけるIV-IV 線断面図、図５は図３におけるＶ部拡大断面図、図６は図５におけるVI矢視図、図７は図５におけるVII-VII 線断面図、図８は図５におけるVIII矢視図である。
【００１８】
図１〜図４において、Ｍはこの発明に係るトイレであり、周囲に鉄棒を立てシート等によって囲むことによって使用される。
【００１９】
10は前記トイレＭのフレームであり、アルミニウムの角パイプによって溶接することによって略正三角形状に形成されている。11,11,…は脚部であり、前記フレーム10の裏面に設置されている。この脚部11,11,…は、フレーム10に重ねるようにして折り畳むことができる。
【００２０】
20はステージ板であり、前記フレーム10に載置された状態でネジ止めされている。このステージ板20は、当該トイレＭを使用する者が手をついたり、伸ばした足を載置したり、横向き又はうつ伏せに寝たりするためのものである。21は便座配置孔（この発明の「便座配置部」に相当する）であり、前記ステージ板20の前記ステージ板20の前端縁に凹状に形成されている。この便座配置孔21には、合成樹脂製の便座30が蝶番31を介して揺動可能に設置されている。なお、32,32 は支持ピンであり、前記フレーム10における前記便座配置孔21の内壁面に突設されている。前記便座30はこの支持ピン32,32 に上方から係止されることによって水平状態を維持することができる。
【００２１】
22は支持リングであり、前記便座配置孔21に配置された状態で、取付具23,23,24に介して前記フレーム10に固定されている。この支持リング22は前記便座30の下方に位置しており、便槽25を支えるためのものである。    
【００２２】
図３において、12,12 は支持筒であり、ブラケット13,13 を介して、前記フレーム10に溶接されている。この支持筒12は前記ステージ板20の下方に突出している。
【００２３】
図５〜図８において、51,51 支持軸であり、前記支持筒12,12 に上方から嵌挿した状態で、ボルト・ナット構造Ｂによって締め付け固定されている。この支持軸51,51 は前記便座配置孔21の両側部に位置した状態で、前記ステージ板20の上方に延びている。
【００２４】
52はストローク長孔であり、前記支持軸51の背面側に周方向に沿って形成されている。また、53,53 は係止長孔であり、前記支持軸51の正面側に軸方向に沿って形成されている。この係止長孔53,53 は、前記支持軸51を中心として、前記ストローク長孔52の両端の位置の反対側に位置している。これらのストローク長孔52および係止長孔53の機能については後記する。
【００２５】
54は有底回動筒であり、スリーブ55,55 を介して前記支持軸51に揺動可能に外嵌めされている。56は係止ネジであり、前記有底回動筒54の背面にネジ止めされている。この係止ネジ56は有底回動筒54を貫通し、その先端は前記支持軸51のストローク長孔52に嵌挿している。このため、有底回動筒54はこのストローク長孔52のストロークの範囲においてのみ回動可能なる。
【００２６】
また、57は長孔であり、前記有底回動筒54の正面に形成されている。この長孔57は前記係止長孔53と略同じ形状をしている。
【００２７】
次に、58は連結具であり、前記有底回動筒54の上面に軸581 を介して揺動可能に設置されている。60は半筒体であり、前記有底回動筒54の正面側に重ねられている。
【００２８】
一方、61はＵ字状の把手であり、前記半筒体60に固定され水平方向に延びている。この把手61の根幹部には前記連結具58の先端部が固定されている。このため、半筒体60は前記有底回動筒54とともに回動するとともに、前記把手61とともに軸581 を中心としてＨ方向に揺動することができる。
【００２９】
62は係止ピンであり、前記半筒体60の内壁面に突設されている。この係止ピン62を前記支持軸51の係止長孔53に嵌挿させることによって、前記支持軸51に対する有底回動筒54、および半筒体60ひいては把手61の動きを停止できる。係止長孔53は２つあり、把手61の揺動ストロークの両端側でその動きを停止させることができる。
【００３０】
なお、把手61を支持軸51を中心として揺動させるときは、有底回動筒54に対して、半筒体60を軸581 を中心として揺動させ（仮想線の状態を参照のこと）、前記係止ピン62を係止長孔53から抜き出し、有底回動筒54の回動の停止を解除して操作すればよい。そして、ストロークの反対端に行ったときに、半筒体60を軸581 を中心として原状態に戻し、前記係止ピン62を係止長孔53に嵌挿すればその状態を固定することができる。
【００３１】
図３に戻って、70はトイレットペーパーホルダーであり、前記把手61の中間部に設置されている。このトイレットペーパーホルダー70にはトイレットペーパーが設置され、使用者の利用に供することができる。なお、図においては、片方の把手61にのみトイレットペーパーホルダー70を設置したが、双方の把手61,61 に設置することもできる。このように、双方の把手61,61 に設置すれば、左半身麻痺の方は座位（便座）左側の手摺りのトイレットペーパーを使用し、右半身麻痺の方は座位（便座）右側の手摺りのトイレットペーパーを使用することができる。
【産業上の利用可能性】
【００３２】
非常時等において、トイレをシート等によって囲んで使用する場合に利用できる。
【図面の簡単な説明】
【００３３】
【図１】この発明に係るトイレの正面図である。
【図２】同一部切り欠き平面図である。
【図３】図１におけるIII-III 線断面図である。
【図４】図２におけるIV-IV 線断面図である。
【図５】図３におけるＶ部拡大断面図である。
【図６】図５におけるVI矢視図である。
【図７】図５におけるVII-VII 線断面図である。
【図８】図５におけるVIII矢視図である。
【符号の説明】
【００３４】
Ｍ  …  トイレ
Ｂ  …  ボルト・ナット構造
10  …  フレーム
11  …  脚部
12  …  支持筒
13  …  ブラケット
20  …  ステージ板
21  …  便座配置孔（便座配置部）
22  …  支持リング
23  …  取付具
24  …  取付具
25  …  便槽
30  …  便座
31  …  蝶番
32  …  支持ピン
51  …  支持軸
52  …  ストローク長孔
53  …  係止長孔
54  …  有底回動筒
55  …  スリーブ
56  …  係止ネジ
57  …  長孔
58  …  連結具
581 …  軸
60  …  半筒体
61  …  Ｕ字状の把手
62  …  係止ピン
70  …  トイレットペーパーホルダー
【図１】
2005342190.tif 000003
【図２】
2005342190.tif 000004
【図３】
2005342190.tif 000005
【図４】
2005342190.tif 000006
【図５】
2005342190.tif 000007
【図６】
2005342190.tif 000008
【図７】
2005342190.tif 000009
【図８】
2005342190.tif 000010